(57)【要約】【課題】本発明は、本体構成において、様々なキッチンの開口穴に対してもセットすることができる上に、天板への十分な強度を確保すること。【解決手段】鍋等を載置する天板１１と、天板１１の端面部を覆設する天板支持体１２と、天板１１及び天板支持体１２下方には本体を構成する上方に外側へのフランジ部１８を設けた箱状の外郭１５を設け、フランジ部１８の端面には、ト状の支持板１９が嵌合され、支持板１９は、天板支持体１２を下方から支持し、かつ天板支持体１２の内フランジ部１４よりも内側に配置された構成により、外郭１５が下方にたわんでも確実に天板１１及び天板支持体１２を下方から機械的に支持できる信頼性の高い機器を提供できる。【選択図】図１
2008298302.tif 000002
【特許請求の範囲】
【請求項１】
鍋等を載置する天板と、前記天板の端面部を覆設する天板支持体と、前記天板及び前記天板支持体下方には本体を構成する上方に外側へのフランジ部を設けた箱状の外郭とを備え、前記フランジ部の端面には、ト状の支持板が嵌合され、前記支持板は、前記天板支持体を下方から支持し、かつ前記天板支持体の内フランジ部よりも内側に配置された組み込み式加熱調理器。
【請求項２】
外郭のフランジ部は、天板を下方から支持する請求項１記載の組み込み式加熱調理器。
【請求項３】
前方のフランジ部下面には、保持台が嵌合され、前記前方のフランジ部と天板支持体の内フランジ部とで挟着された請求項１または２に記載の組み込み式加熱調理器。
【請求項４】
支持板は、天板を下方から支持する請求項１〜３のいずれか１項に記載の組み込み式加熱調理器。
【請求項５】
支持板の下面は、天板支持体の内フランジ部下面より上方に位置した請求項１〜４のいずれか１項に記載の組み込み式加熱調理器。
【請求項６】
天板支持体の内フランジ部下方には、シール材を全周に設けた請求項１〜５のいずれか１項に記載の組み込み式加熱調理器。
【請求項７】
天板支持体の下方には、天板を挟着して支持する天板支持板Ａ、Ｂを前後に設けた請求項１〜６のいずれか１項に記載の組み込み式加熱調理器。
【請求項８】
天板支持体前方の下方には、キー操作を行う操作部支持体を設け、前記操作部支持体は、外郭の開口部に嵌合された請求項１〜７のいずれか１項に記載の組み込み式加熱調理器。
【発明の詳細な説明】
【技術分野】
【０００１】
本発明は、組み込み式加熱調理器の本体構成に関するものである。
【背景技術】
【０００２】
近年、ビルトイン調理機器を組み込むキッチンにおいて、各電気、ガスメーカーの機器を組み込めるよう様々な形態のものがキッチンメーカーで開発されている。それで、機器を組み込むための開口穴においても、基本的な寸法はほぼ統一されているが、細かいところで各キッチンメーカー違っており、それら全てに組み込めるよう機器の方で対応しておかなければならない。特に、１口タイプのコンロを組み込むキッチンについては、開口穴部に上向きのバーリング穴加工（キッチンの補強のため）がされているものもあり、開口穴サイズが基本寸法よりも１０ｍｍ程度大きいものもある。
【０００３】
従来、この種の組み込み式加熱調理器の本体構成としては、例えば、トップ部は天板支持体による内フランジが構成され、その内側には本体を構成している外郭のフランジ部が設けられ、本体は天板支持板の内フランジがキッチンに当接することにより、支持しているものがあった（例えば、特許文献１参照）。
【０００４】
図１９は、前記文献に記載された従来の本体構成を示すものである。図１９において、鍋等を載置するセラミックプレート等で構成された天板１があり、天板１の端面を覆設するように天板支持体２が構成され、両者はシリコン等の耐熱性の接着材３で接着されている。天板支持体２の外周の下部には、内側へ向いた内フランジ部４が全周にわたり形成されている。天板１及び天板支持体２の下方には、本体を構成する外郭５が配置され、外郭５上部には外側へ向かったフランジ部６が形成され、内フランジ部４の内周部に位置している。天板支持体２と外郭５は締結され本体を構成し、天板支持体２の内フランジ部４がキッチン７に当接することにより、本体を支持している。このキッチン７の開口穴には上向きのバーリング８が構成されている。
【特許文献１】特開平１１−３３９９４５号公報
【発明の開示】
【発明が解決しようとする課題】
【０００５】
しかしながら、前記従来の構成では、本体をキッチン７にセットすると、バーリング８が外郭５のフランジ部６に当たってしまい、外観の天板支持体２とキッチン７に大きな隙間（図１９参照）が生じ、本体をセットすることができないといういう課題を有していた。また、例えば、キッチン７のバーリング８をにがそうと、外郭５のフランジ部６に段差を設けたとしても（図２０参照）、開口穴の寸法が大きいものと小さいものに対応しようとすれば、極力外郭の外側の方で段差を設けなければならず、加工的に非常に難しいものとなっていた。また、加工的に容易な樹脂を外郭に使用して（図２１参照）、フランジ部６に段差を設けたとしても、この構成での樹脂の強度は弱く、十分本体を支持することができない上に、何らかの理由で本体内部から発火した場合に、外郭が樹脂であるということから、本体内での発火に抑えることができない可能性があるという課題も有していた。さらに、本体をキッチンにセットすると、本体の重さにより、開口穴部に入った外郭５は下方にたわんでしまう。その際、天板１を支持している外郭５のフランジ部６も下方にたわんでしまうため、天板１とフランジ部６との間に隙間（図２１参照）が生じてしまい、天板の機械的なバックアップができなくなるという課題も有していた。
【０００６】
本発明は、上記従来の課題を解決するもので、本体構成において、様々なキッチンの開口穴に対してもセットすることができる上に、天板への十分な強度を確保した信頼性の高い組み込み式加熱調理器を提供することを目的とする。
【課題を解決するための手段】
【０００７】
前記従来の課題を解決するために、本発明は、外郭のフランジ部の端面にト状の支持板を嵌合することにより、本体をキッチンにセットした際、本体が重さにより下方にたわんでも、天板及び天板支持体を下方から確実に機械的に支持することを目的とする。
【発明の効果】
【０００８】
本発明の組み込み式加熱調理器は、様々なサイズのバーリング加工の開口穴を有するキッチンにセットし、外郭が下方にたわんだとしても、確実に天板を下方から機械的に支持することのできる天板の強度を確保した信頼性の高い機器を提供できる。
【発明を実施するための最良の形態】
【０００９】
第１の発明は、鍋等を載置する天板と、天板の端面部を覆設する天板支持体と、天板及び天板支持体下方には本体を構成する上方に外側へのフランジ部を設けた箱状の外郭とを備え、フランジ部の端面には、ト状の支持板が嵌合され、支持板は、天板支持体を下方から支持し、かつ天板支持体の内フランジ部よりも内側に配置された構成とすることにより、外郭が下方にたわんでも確実に天板及び天板支持体を下方から機械的に支持できる信頼性の高い機器を提供できる。
【００１０】
第２の発明は、特に、第１の発明の、外郭のフランジ部は、天板を下方から支持する構成とすることにより、より確実に天板を下方から機械的に支持できる信頼性の高い機器を提供できる。
【００１１】
第３の発明は、特に、第１または第２の発明の、外郭の前方のフランジ部下面には、保持台が嵌合され、前方のフランジ部と天板支持体の内フランジ部とで挟着された構成とすることにより、外郭が下方にたわんでも確実に天板及び天板支持体を下方から機械的に支持できる信頼性の高い機器を提供できるし、また、天板支持体を外郭にセットしやすく、ねじをも低減することのできる組立性のよい機器も提供できる。
【００１２】
第４の発明は、特に、第１〜３のいずれか１つの発明の支持板は、天板を下方から支持する構成とするにより、より確実に天板を下方から機械的に支持できる信頼性の高い機器を提供できる。
【００１３】
第５の発明は、特に、第１〜４のいずれか１つの発明の、支持板の下面は、天板支持体の下面より上方に位置した構成とすることにより、外郭が下方にたわんでも、確実に天板支持体の内フランジ部で本体を支持できるため、キッチンからの浮きのない外観のきれいな機器を提供できる。
【００１４】
第６の発明は、特に、第１〜５のいずれか１つの発明の、天板支持体の内フランジ部下方には、シール材を全周に設けた構成とすることにより、外郭が下方にたわんでも確実に天板及び天板支持体を下方から機械的に支持できるし、また、本体外側からの水のキッチン内への浸入をも防止できる信頼性の高い機器を提供できる。
【００１５】
第７の発明は、特に、第１〜６のいずれか１つの発明の、天板支持体の下方には、天板を挟着して支持する天板支持板Ａ、Ｂを前後に設けた構成とすることにより、外郭が下方にたわんでも、より確実に天板を下方から機械的に支持できる信頼性の高い機器を提供できる。
【００１６】
第８の発明は、特に、第１〜７のいずれか１つの発明の、天板支持体前方の下方には、キー操作を行う操作部支持体を設け、操作部支持体は、外郭の開口部に嵌合された構成とすることにより、外郭が下方にたわんでも確実に天板及び天板支持体を下方から機械的に支持できるし、また、天板支持体を外郭にセットしやすい組立性のよい機器も提供できる。
【００１７】
以下、本発明の実施の形態について、図面を参照しながら説明する。なお、本実施の形態によって本発明が限定されるものではない。
【００１８】
（実施の形態１）
図１〜６は本発明の第１の実施の形態における組み込み式加熱調理器の断面図、斜視図、外郭ユニット斜視図、外郭ユニットの展開図、キッチンの斜視図、組み込み式加熱調理器の詳細断面図を示すものである。
【００１９】
図１〜６において、鍋等を載置するセラミックプレート等で構成された天板１１があり、天板１１の端面を覆設するように天板支持体１２が構成され、両者はシリコン等の耐熱性の接着材１３で天板１１と天板支持体１２の係合部を全周、接着している（トップユニット）。さらに、天板支持体１２の外周の下部には、内側へ向いた内フランジ部１４が全周にわたり形成されている。トップユニットの下方には、本体を構成する箱状の金属製の外郭１５が配置され、外郭１５内部には本体を駆動する加熱コイルユニット１６や基板１７等が内蔵されている。さらに、外郭１５の上部には、外側へ向かったフランジ部１８が形成され、天板支持体１２の内フランジ部１４の内周部に位置している。フランジ部１８の端面には、ト状の樹脂で形成された支持板１９を嵌合できるブロック形状２０を３ヶ所設けている。支持板１９に予め具備された３つの上向きの爪２１が、ブロック形状２０に爪嵌合され、かつ、支持板１９に設けられた溝２２にフランジ部１８が嵌入されることで、両者は取り付けられている（外郭ユニット）。このことにより、外郭１５のフランジ部１８の下方には、約５ｍｍ程度の空間を設けることができる。支持板１８は、さらにフランジ部１７に嵌合された状態で下方から天板支持体１２を支持している。トップユニットと外郭ユニットは、ねじ等で締結され本体を構成している。これらの構成により、キッチン２３の開口穴に上向きのバーリング２４加工がなされたものにセットする際、本体は、天板支持体１２の内フランジ部１４と支持板１９とで、キッチン２３の天面に当接されることで支持されている。
【００２０】
以上のように構成された組み込み式加熱調理器の本体構成について、以下その動作、作用を説明する。
【００２１】
まず、上記構成において、本体を開口穴の大きなキッチンにセットした状態を考える。
【００２２】
本体は、天板支持体１２の内フランジ部１４と支持板１９とで支持されている。ところが、前記支持部（内フランジ部１４と支持板１９）が、本体の外側の方で構成されているため、開口穴が大きなキッチン２３であっても、上向きのバーリング２４には、干渉せずに、問題なくキッチン２３にセットすることができる。また、外郭１５が内臓物の重さでいくらか、たわんだことを考える。その際でも、外郭１５のフランジ部１８の外側には、ト状の樹脂で構成された支持板１９が嵌合されているため、この支持板１９により、上は天板支持体１２、下はキッチン２３の天面を自ら挟着されることで、支持することができるため、外郭のフランジ部１８があるレベル以上は下側へ、垂れ下がることがなく、十分にトップユニットを支持することができる。トップユニットを下方から支持することにより、たとえ、重たいものを天板１１上に載せた際でも、トップユニットのたわみを防止することができるし、また、加熱調理器である誘導加熱調理器における実施の形態では、加熱コイルユニット１６の天面と天板１１の距離を一定に保つこともできるため、安定した入力（パワー）を供給することができる（加熱コイルユニット１６と対象物（鍋等の被加熱物）との距離で入力値が変わるため、この距離の安定化は非常に重要である）。  次に、本体を開口穴が小さなキッチンにセットした場合であるが、これは、予め本体支持が本体外側の内フランジ部１４と支持板１９とでなされているため、大が小をかねるという論理で上記と同様の効果が得られる（もし、支持板１９がなければ、約５ｍｍ程度外郭１５のフランジ部１８の下に空間ができてしまうために、天板１１に大きな荷重がかかった際に、最悪その空間分（約５ｍｍ）天板１１落ち込む可能性があり、安全な天板１１の支持ができなくなる可能性がある）。
【００２３】
以上のように、本実施の形態においては、上向きのバーリング加工２４を有するような開口穴でかついろんなサイズの開口穴であったとしても、容易に問題なくセットすることができ、かつ、セット時に外郭１５が下方へたわんでしまっても、十分トップユニットを支持することができる信頼性の高い機器を提供することができる。
【００２４】
また、ここでの実施の形態は、支持板１９を外郭１５の左右２ヶ所に嵌合させることで説明したが、前後を含めた３ヶ所及び４ヶ所で行ってもよい。
【００２５】
また、支持板１９はフランジ部１８にセットしやすいよう、爪２１の嵌合で行ったが、フランジ部１８の下部に凸がでないようなカシメ方式等で固定してもよい（フランジ部１８の下部に凸が出てしまうと、開口穴の上向きのバーリング２４に干渉してしまう→一つの決まった上向きのバーリング２４加工を有する開口穴だけであれば、その部分だけ、にげればいいが、数ミリ単位で開口穴が違うものにもセットできるようにするためには、フランジ部下部は全て空間を空けておく必要がある）。
【００２６】
また、支持板は板厚の垂直方向でかつ外郭のフランジ部のほぼ全体で本体の荷重を受けているために、強度は強く、大きくたわむことはない（従来例の樹脂の外郭の構成（図２１）だと板厚の水平方向で荷重を受けるので、たわみやすい）。
【００２７】
なお、外郭１５の材質であるが、金属製にする方が、強度も十分確保することができるし、何らかの理由で、本体内部で発火した際にでも、外郭１５は金属製で燃えることがないために外火は防ぐことができ、安全性も高めることができる。
【００２８】
また、ここでは、誘導加熱調理器で説明したが、電気コンロやガスコンロでも同様の効果が得られるし、また２口、３口用のキッチンで上向きにバーリング加工を有する開口穴を有するものでも同様の効果が得られる。
【００２９】
（実施の形態２）
図７は本発明の第２の実施の形態における組み込み式加熱調理器の断面図を示すものである。
【００３０】
図７において、基本的な構成は実施の形態１と同様であるため、構成の違うところのみを説明する。外郭１５のフランジ部１８上面には、一体で構成された複数の凸形状２５が設けられ、天板１１を下方から支持している。
【００３１】
以上のように構成された組み込み式加熱調理器の本体構成について、以下その動作、作用を説明する。
【００３２】
動作、作用についても、実施の形態１の内容と違う部分についてだけ述べるため、同様の内容は実施の形態１を参照とする。まず上記構成において、何らかの影響で接着材１３が劣化を起こし、天板１１が天板支持体１２から外れそうになった場合を考える。その際、天板１１は天板１１上面に接着材１３が塗布されているため、下方へ落ちようとする。ところが、外郭１５のフランジ部１８上には、複数の凸形状２５が設けられ、天板１１を下方から機械的に当接、支持しているため、天板１１単体で外れることはない。さらに、凸形状２５を一体で構成しているフランジ部１８に支持板１９が嵌合されているため、天板１１はフランジ部１８を介して支持板１９にも支持されているため、上向きにバーリング２４加工を有するいろんな開口穴を有するキッチン２３にセットしても、確実に天板１１は下方へたわむことなく、狙いの位置を維持することができる（接着材１３の劣化の有り無しにかかわらず、常にバックアップできる構成を実現できている→接着材１３への応力の負担が大きく減り、劣化もしづらくなる）。
【００３３】
また、そのことにより、天板１１と天板支持体１２の劣化した接着材１３の隙間から水が本体内に入ったとしても、天板１１を凸形状２５によりバックアップしているため、大きな隙間は生じないため、大量の水浸入は防ぐことができるし、また、加熱コイルユニット１６上や基板１７上に行かない構成にしておけば、水浸入があったとしても、機器を破損させることは、防止できるので、安全性も向上できる。
【００３４】
また、実施の形態１のように外郭１５がセット時にたわんだ際にも、同様に天板１１の下方への落ち込みを防止することができる。
【００３５】
以上のように、本実施の形態においては、上向きのバーリング加工を有するような開口穴でかついろんなサイズの開口穴であったとしても、容易に問題なくセットすることができ、かつ、天板１１が天板支持体１２から外れたり、セット時に外郭１５が下方へたわんでしまっても、十分天板１１を支持することができる信頼性の高い機器を提供することができる。
【００３６】
また、ここでは凸形状２５は一体で説明したが、別部品をフランジ部１８に嵌合、締結、接着、カシメ等でつけても同様の効果が得られる。
【００３７】
また、凸形状２５は、ばね性を利用できる構成にしておけば、天板１１への応力を軽減できるし、天板１１の板厚のバラツキにも対応がしやすくなる。
【００３８】
当然、実施の形態１に記した同様の効果も得られる。
【００３９】
（実施の形態３）
図８、９、１０は本発明の第３の実施の形態における組み込み式加熱調理器の外郭ユニットの斜視図、外郭ユニットの展開図、取付図を示すものである。
【００４０】
図８〜１０において、基本的な構成は実施の形態１と同様であるため、構成の違うところのみを説明する。外郭１５の前方のフランジ部１８に下方から爪嵌合された保持台２６が取り付けられている。この構成により、フランジ部１８下方に空間ができ、開口穴の上向きのバーリング２４をにがすことができている。外郭１５後方には、トップユニットとねじ２７で締結を行う締結部２８を設けている。
【００４１】
以上のように構成された組み込み式加熱調理器の本体構成について、以下その動作、作用を説明する。
【００４２】
動作、作用についても、実施の形態１の内容と違う部分についてだけ述べるため、同様の内容は実施の形態１を参照とする。まず、上記構成において、トップユニットを外郭ユニットにセットすることを考える。まず、天板支持体１２の前方の内フランジ部１４に外郭１５の前方のフランジ部１８に取り付けられた保持台２６を引っ掛けるようにする。それから、トップユニットを前方の内フランジ部１４を支点にして回転させていく。そして、外郭ユニットに完全にセットできれば、後方の締結部２８でねじ２７で締結を行う。
【００４３】
そうすると、トップユニットと外郭ユニットの締結は、後方だけで確実に固定することができるため、ねじの締結本数の低減を行うことができるし、非常に組み立てやすくできる。さらに、保持台２６によって、フランジ部１８下方に空間ができ、開口穴の上向きのバーリング２４をにがすことができているため、キッチン２３に確実にセットすることができる。
【００４４】
以上のように、本実施の形態においては、上向きのバーリング加工２４を有するような開口穴でかついろんなサイズの開口穴であったとしても、容易に問題なくセットすることができ、かつ、天板支持体１２を外郭１５にセットしやすく、ねじをも低減することのできる組立性のよい機器も提供できる。
【００４５】
また、ここでは、保持台２６は組み立てやすいようにフランジ部１８に爪嵌合で取り付けているが、締結、接着、カシメ等でつけても同様の効果が得られる。
【００４６】
また、前方の外郭のフランジ部１８を折り曲げても、同様の効果が得られる（外郭のフランジ部１８は、側面と違って寸法に余裕があるため→天板支持体１２の内フランジ部１４内に入れることができるため、折り曲げが可能である）。
【００４７】
なお、ここでは、保持台２６を一つで構成しているが、中央をあける必要がある等、事情によっては複数で構成させてもよい。
【００４８】
また、前方フランジ部１８と天板支持体１２との間に操作部を構成する部品等でスペーサーを設ければ、よりトップユニットのガタツキを低減できる。
【００４９】
当然、実施の形態１、２に記した同様の効果も得られる。
【００５０】
（実施の形態４）
図１１は本発明の第４の実施の形態における組み込み式加熱調理器の断面図を示すものである。
【００５１】
図１１において、基本的な構成は実施の形態１と同様であるため、実施の形態１を参照とする。支持板２９は外郭１５のフランジ部１８に嵌合され、支持板体２９の天面は、天板１１を下方から支持している。
【００５２】
以上のように構成された組み込み式加熱調理器の本体構成について、以下その動作、作用を説明する。
【００５３】
動作、作用についても、実施の形態１の内容と違う部分についてだけ述べるため、同様の内容は実施の形態１を参照とする。まず上記構成において、何らかの影響で接着材１３が劣化を起こし、天板１１が天板支持体１２から外れそうになった場合を考える。その際、天板１１は天板１１上面に接着材１３が塗布されているため、下方へ落ちようとする。ところが、外郭１５のフランジ部１８には、支持板２９が嵌合され、天板１１を下方から直接支持しているため、天板１１単体で外れることはない。上向きにバーリング２４加工を有するいろんな開口穴を有するキッチン２３にセットしても、確実に天板１１は下方へたわむことなく、狙いの位置を維持することができる（接着材１３の劣化の有り無しにかかわらず、常にバックアップできる構成を実現できている→接着材１３への応力の負担が大きく減り、劣化もしづらくなる）。
【００５４】
以上のように、本実施の形態においては、上向きのバーリング加工２４を有するような開口穴でかついろんなサイズの開口穴であったとしても、容易に問題なくセットすることができ、かつ、天板１１が天板支持体１２から外れたり、セット時に外郭１５が下方へたわんでしまっても、十分天板を支持することができる信頼性の高い機器を提供することができる。
【００５５】
当然、実施の形態１〜３に記した同様の効果も得られる。
【００５６】
（実施の形態５）
図１２は本発明の第５の実施の形態における組み込み式加熱調理器の断面図を示すものである。
【００５７】
図１２において基本的な構成は実施の形態１と同様であるため、実施の形態１を参照とする。支持板１９の下面３０は天板支持体１２の内フランジ部１４の下面３１より約０．５ｍｍ程度上方に位置している。
【００５８】
以上のように構成された組み込み式加熱調理器の本体構成について、以下その動作、作用を説明する。
【００５９】
動作、作用についても、実施の形態１の内容と違う部分についてだけ述べるため、同様の内容は実施の形態１の参照とする。まず上記構成において、本体をキッチンにセットした状態を考える。天板支持体１２の、内フランジ部１４の下面３１の方が、本体内部にある支持板１９の下面３０より下方にあるため、確実にキッチン２３に先当たりすることで、内部部品は外観には現れないため、商品として美しいものを形成できる。また、高さ関係は、約０．５ｍｍ程度しか変わらないため、たとえ、外郭１５が下方にたわんだとしても、支持板１９によって、天板１１を支持し、約０．５ｍｍ落ち込んでキッチン２３で受けるため、十分天板１１を支持することができる。
【００６０】
以上のように、本実施の形態においては、上向きのバーリング加工２４を有するような開口穴でかついろんなサイズの開口穴であったとしても、容易に問題なくセットすることができ、かつ、天板１１が天板支持体１２から外れたり、セット時に外郭１５が下方へたわんでしまっても、十分天板１１を支持することができる信頼性の高い機器を提供することができるし、また、外観も非常にきれいな機器をも提供できる。
【００６１】
当然、実施の形態１〜４に記した同様の効果も得られる。
【００６２】
（実施の形態６）
図１３、１４は本発明の第６の実施の形態における組み込み式加熱調理器の断面図、裏面斜視図を示すものである。
【００６３】
図１３、１４において、基本的な構成は実施の形態１と同様であるため、構成の違うところのみを説明する。天板支持体１２の内フランジ部１４の下面３１には全周にわたってＥＰＤＭ等で構成されたシール材３２を貼り付けている。
【００６４】
以上のように構成された組み込み式加熱調理器の本体構成について、以下その動作、作用を説明する。
【００６５】
動作、作用についても、実施の形態１の内容と違う部分についてだけ述べるため、同様の内容は実施の形態１の参照とする。上記構成において、本体をキッチンにセットした状態で本体に水が浸入してきた場合を考える。その際、天板支持体１２の内フランジ部１４とキッチン２３の間には、内フランジ部１４に貼り付けられたシール材３２が挟まれているため、キッチン２３内に水が浸入することはない。また、シール材３２は本体の一番外側にある天板支持体１２の内フランジ部１４に貼られているため、天板支持体１２とキッチン２３の隙間が生じないため、ゴミや油が隙間に浸入することも防止できる。
【００６６】
以上のように、本実施の形態においては、上向きのバーリング加工２４を有するような開口穴でかついろんなサイズの開口穴であったとしても、容易に問題なくセットすることができ、かつ、天板１１が天板支持体１２から外れたり、セット時に外郭１５が下方へたわんでしまっても、十分天板１１を支持することができる信頼性の高い機器を提供することができるし、また、キッチン内に水浸入のしない清潔で、信頼性の高い機器をも提供できる。
【００６７】
また、シール材３２は弾性のあるものならよく、発泡シリコンやゴムで形成されたのシールテープでもよい。また、貼付だけでなく、塗布して接着してもよい。
【００６８】
当然、実施の形態１〜５に記した同様の効果も得られる。
【００６９】
（実施の形態７）
図１５は本発明の第７の実施の形態における組み込み式加熱調理器の断面図を示すものである。
【００７０】
図１５において、基本的な構成は実施の形態１と同様であるため、実施の形態１を参照とする。天板支持体１２には、天板１１を挟着するように、前方には金属製の天板支持板Ａ３３、後方には天板支持板Ｂ３４がねじ３５で機械的に取り付けられている。
【００７１】
以上のように構成された組み込み式加熱調理器の本体構成について、以下その動作、作用を説明する。
【００７２】
動作、作用についても、実施の形態１の内容と違う部分についてだけ述べるため、同様の内容は実施の形態１を参照とする。まず上記構成において、天板１１は天板支持体１２に接着材１３だけでなく、天板支持板Ａ３２と天板支持板Ｂ３４によって機械的に固定されている。そのため、天板１１上で大きな荷重がかかったとしても、トップユニット内でも、天板１１は外れることない。さらに、それを補助するように、天板１１は外郭ユニットの支持板１９によって、下方からの支持もあるため、外郭１５がたわんだ際にも、下からのバックアップがあるため、下へ大きく落ち込むことはない。このように、両者のバックアップがあるため、より強固な天板の支持を実現することができる。
【００７３】
以上のように、本実施の形態においては、上向きのバーリング加工２４を有するような開口穴でかついろんなサイズの開口穴であったとしても、容易に問題なくセットすることができ、かつ、セット時に外郭１５が下方へたわんでしまっても、より十分天板１１を支持することができる信頼性の高い機器を提供することができる。
【００７４】
当然、実施の形態１〜６に記した同様の効果も得られる。
【００７５】
（実施の形態８）
図１６、１７、１８は本発明の第８の実施の形態における組み込み式加熱調理器の斜視図、断面図、取付図を示すものである。
【００７６】
図１６〜１８において、基本的な構成は実施の形態１と同様であるため、構成の違うところのみを説明する。天板支持体１２の前部には、本体を操作するための操作キー等を有する操作部支持体３６が、ねじ等の締結で取り付けられている。操作部支持体３６は、トップユニットを外郭ユニットにセットした状態では、外郭１５の開口部に嵌合されており、また、操作部支持体３６の端部３７は、外郭１５の両左右のフランジ部１８上に載置され、天板支持体１２と挟着されている。
【００７７】
以上のように構成された組み込み式加熱調理器の本体構成について、以下その動作、作用を説明する。
【００７８】
動作、作用についても、実施の形態１の内容と違う部分についてだけ述べるため、同様の内容は実施の形態１を参照とする。まず、上記構成において、トップユニットを外郭ユニットにセットすることを考える。まず、天板支持体１２の前方の内フランジ部１４に外郭１５の前方のフランジ部１８に取り付けられた保持台２６を引っ掛けるようにする。それから、トップユニットを前方の内フランジ部１４を支点にして回転させていく。そうすると、操作部支持体３６が外郭１５の開口部に近づき、いずれ嵌合状態になる。操作部支持体３６と外郭１５の隙間は片側約０．５ｍｍ程度である。セットする際、操作部支持体３６の端部３７は、フランジ部１８上に載せられるため、上方向からの荷重のバックアップをすることができる。また、操作部支持体３６は、天板支持体１２とフランジ部１８とで挟着もされているため、天板支持体１２のバックアップも実現できる。最後に、外郭ユニットに完全にセットできれば、後方の締結部２８でねじ２７で締結を行う。そうすると、トップユニットと外郭ユニットの締結は、後方だけで確実に固定することができるため、ねじの締結本数の低減を行うことができるし、また、操作部支持体３６は外郭１５と嵌合状態で隙間が約０．５ｍｍ程度しかないので、両者のガタツキはほとんどなく、操作部支持体３６を介してトップユニットを左右方向に位置決めすることができる。
【００７９】
以上のように、本実施の形態においては、上向きのバーリング加工２４を有するような開口穴でかついろんなサイズの開口穴であったとしても、容易に問題なくセットすることができ、かつ、天板支持体１２を外郭１５にセットしやすく、ねじを低減させても、トップユニット前方を位置決めすることができる組立性のよい機器も提供できる。
【００８０】
また、操作部支持体３６は天板支持体１２に締結されているため、操作部支持体３６で天板１１の前部をバックアップさせてもいい。そうすれば、より天板強度の強化を図ることができる。
【００８１】
当然、実施の形態１〜７に記した同様の効果も得られる。
【産業上の利用可能性】
【００８２】
以上のように、本発明にかかる組み込み式加熱調理器は、様々なサイズのバーリング加工の開口穴を有するキッチンにセットし、外郭が下方にたわんだとしても、確実に天板を下方から機械的に支持することで天板の強度を確保できるので、天板を有する１口〜多バーナーのビルトインタイプの調理機器等の用途にも適用できる。
【図面の簡単な説明】
【００８３】
【図１】本発明の実施の形態１における組み込み式加熱調理器の断面図
【図２】本発明の実施の形態１における組み込み式加熱調理器の斜視図
【図３】本発明の実施の形態１における組み込み式加熱調理器の外郭ユニットの斜視図
【図４】本発明の実施の形態１における組み込み式加熱調理器の外郭ユニットの展開図
【図５】本発明の実施の形態１におけるキッチンの斜視図
【図６】本発明の実施の形態１における組み込み式加熱調理器の詳細断面図
【図７】本発明の実施の形態２における組み込み式加熱調理器の断面図
【図８】本発明の実施の形態３における組み込み式加熱調理器の外郭ユニットの斜視図
【図９】本発明の実施の形態３における組み込み式加熱調理器の外郭ユニットの展開図
【図１０】本発明の実施の形態３における組み込み式加熱調理器の取付図
【図１１】本発明の実施の形態４における組み込み式加熱調理器の断面図
【図１２】本発明の実施の形態５における組み込み式加熱調理器の断面図
【図１３】本発明の実施の形態６における組み込み式加熱調理器の断面図
【図１４】本発明の実施の形態６における組み込み式加熱調理器の裏面斜視図
【図１５】本発明の実施の形態７における組み込み式加熱調理器の断面図
【図１６】本発明の実施の形態８における組み込み式加熱調理器の斜視図
【図１７】本発明の実施の形態８における組み込み式加熱調理器の断面図
【図１８】本発明の実施の形態８における組み込み式加熱調理器の取付図
【図１９】従来の組み込み式加熱調理器の第１の断面図
【図２０】従来の組み込み式加熱調理器の第２の断面図
【図２１】従来の組み込み式加熱調理器の詳細断面図
【符号の説明】
【００８４】
１１  天板
１２  天板支持体
１３  接着材
１４  内フランジ部
１５  外郭
１６  加熱コイルユニット
１７  基板
１８  フランジ部
１９、２９  支持板
２０  ブロック形状
２１  爪
２２  溝
２３  キッチン
２４  バーリング
２５  凸形状
２６  保持台
２７、３５  ねじ
２８  締結部
３０  支持板の下面  
３１  内フランジ部の下面
３２  シール材
３３  天板支持板Ａ
３４  天板支持板Ｂ
３６  操作部支持体
３７  端部
【図１】
2008298302.tif 000003
【図２】
2008298302.tif 000004
【図３】
2008298302.tif 000005
【図４】
2008298302.tif 000006
【図５】
2008298302.tif 000007
【図６】
2008298302.tif 000008
【図７】
2008298302.tif 000009
【図８】
2008298302.tif 000010
【図９】
2008298302.tif 000011
【図１０】
2008298302.tif 000012
【図１１】
2008298302.tif 000013
【図１２】
2008298302.tif 000014
【図１３】
2008298302.tif 000015
【図１４】
2008298302.tif 000016
【図１５】
2008298302.tif 000017
【図１６】
2008298302.tif 000018
【図１７】
2008298302.tif 000019
【図１８】
2008298302.tif 000020
【図１９】
2008298302.tif 000021
【図２０】
2008298302.tif 000022
【図２１】
2008298302.tif 000023